(57)【要約】【課題】現金処理装置において、売上金管理者の現金管理業務の負担を低減する技術を提供する。【解決手段】複数のレジスタと、レジスタのそれぞれに投入された貨幣を管理する現金処理装置とがネットワークを介して接続された現金処理システムであって、レジスタは、貨幣の投入を開始する旨の開始情報の入力を受け付ける受付部と、受付部が受け付けた開始情報を含み、その時点での貨幣の投入状況を示すレジ情報を出力するレジ制御部と、レジ情報を現金処理装置に送信するレジ通信部と、を備え、現金処理装置は、レジスタにおける売上金の現金処理装置への投入状況に関する情報を表示するための表示部と、レジスタのそれぞれから、開始情報を含むレジ情報を受信する通信部と、通信部が受信したそれぞれのレジ情報に含まれる開始情報に基づいて、今後各レジスタにおいて売上金が投入されるレジスタを集計し、その結果を表示部に表示させる制御部と、を備える。【選択図】図６
2014174908.tif 000002
【特許請求の範囲】
【請求項１】
複数のレジスタのそれぞれに投入された貨幣を管理する現金処理装置であって、
前記レジスタにおける売上金の前記現金処理装置への投入状況に関する情報を表示するための表示部と、
前記レジスタのそれぞれから出力され、前記貨幣の投入を開始する旨の開始情報を含み、その時点での前記貨幣の投入状況を示すレジ情報を受信する通信部と、
前記通信部が受信したそれぞれの前記レジ情報に含まれる開始情報に基づいて、今後各レジスタにおいて前記売上金が投入されるレジスタを集計し、その結果を前記表示部に表示させる制御部と、
を備えることを特徴とする現金処理装置。
【請求項２】
前記通信部が、前記レジスタの利用者を識別するための利用者識別情報および前記利用者が交代したことを示す利用者交代情報を含むレジ情報を受信し、
前記制御部が、前記通信部が受信したそれぞれの前記レジ情報に含まれる前記利用者識別情報および前記利用者交代情報に基づいて、前記売上金を投入する利用者が、交代後の利用者に交代したことを前記表示部に表示させる、
ことを特徴とする請求項１に記載の現金処理装置。
【請求項３】
前記通信部が、前記レジスタでの業務処理が終了したことを示す業務終了情報を含むレジ情報を受信し、
前記制御部が、前記通信部が受信したそれぞれの前記レジ情報に含まれる前記業務終了情報に基づいて、前記売上金が投入されていないレジスタを集計するとともに、集計したレジスタの利用者を前記表示部に表示させる、
ことを特徴とする請求項２に記載の現金処理装置。
【請求項４】
前記通信部が、前記レジスタ内の貨幣の入出金によって新たな貨幣の投入や貨幣の回収が必要となったか否かを示す現金変動情報を含むレジ情報を受信し、
前記制御部が、前記通信部が受信したそれぞれの前記レジ情報に含まれる前記現金変動情報に基づいて、貨幣を補充する必要があるレジスタを前記表示部に表示させる、
ことを特徴とする請求項２に記載の現金処理装置。
【請求項５】
前記通信部が、前記レジスタにおいて入力された売上金の金額について金種毎にその内訳がカウントされたレジ情報を受信し、
前記制御部が、前記通信部が受信したそれぞれの前記レジ情報に含まれる前記売上金の金額の内訳に基づいて、すべての前記レジスタの売上金を集計し、その結果を印刷部から出力させる、
ことを特徴とする請求項１〜４のいずれか１項に記載の現金処理装置。
【発明の詳細な説明】
【技術分野】
【０００１】
本発明は、小売店の店舗等における売上金の投入処理（「入金処理」とも言う）、集計処理、および回収処理を行う現金処理装置に関するものである。
【背景技術】
【０００２】
スーパーやコンビニエンスストア等の小売店の店舗においては、店舗のレジスタから回収した売上金である貨幣（紙幣、硬貨）を収納して保管しておく現金処理装置が用いられている。売上金は、現金処理装置の内部に装填された貨幣金庫（紙幣金庫および硬貨金庫庫）に収納される。売上金が収納された貨幣金庫は、一定期間経過時または貨幣金庫の収納容量に応じて、現金管理者や警備会社の担当者によって現金処理装置から売上金が収納されたままで回収される。貨幣金庫が回収された現金処理装置には、新たな貨幣金庫が装填される。
【０００３】
この種の現金処理装置では、現金管理者が売上金の現金量を管理するため、例えば、売上高の締め操作は、店舗内全てのレジの現金を収納した後、現金管理者が売上金の管理を行うため、１日に１回集計処理として行われる。ここで、現金管理者の締め操作が終了した後にレジの現金を収納した場合、現金管理者が集計処理を再度行う必要があること、また、当日の売上金に関して、１回目に集計した売上金情報と、２回目に集計した売上金情報の両方を合わせて１日の売上金の集計情報として管理をおこなっている場合がある。
【０００４】
集計処理に関しては従来技術の例として、特許文献１に記載の現金処理装置が提案されている。この現金処理装置では、複数の店舗のレジ担当者がそれぞれ店舗毎のレジカードを使用してレジスタの釣銭として使用する現金の出金、両替、レジスタから回収した現金の入金を行う現金処理装置において、店舗毎の店舗カード及び管理カードの使用による締上げ処理を可能とし、店舗カードを使用して締上げ処理が指定された場合には、該当する店舗のレジカードを使用して実施された入金処理、出金処理、及び両替処理に関する情報を集計する締上げ処理を行い、管理カードを使用して締上げ処理が指定された場合には、当該装置を利用するすべての店舗の入金処理、出金処理、及び両替処理に関する情報を集計する締上げ処理を行い、店舗毎の締上げと、すべての店舗の締上げをそれぞれ行う技術が開示されている。
【先行技術文献】
【特許文献】
【０００５】
【特許文献１】特開２００８−４６９２０号公報
【発明の概要】
【発明が解決しようとする課題】
【０００６】
しかしながら上記従来技術の現金処理装置では、集計処理を行う前にどのレジの売上金が投入されたか、またはどのレジの売上金が投入されていないかといった、売上金管理者の集計処理に関する業務負担低減に関し、言及されていない。この点、集計操作を行う前に、店舗全てのレジの現金が投入されているかを確認する方法として以下の手段が考えられる。
【０００７】
＜１＞投入者情報を事前登録する場合：
事前に投入者を括り付けるＩＤ番号を登録しておき、売上金管理者が売上集計操作を行う前に、投入操作実施の有無の情報を画面に表示、または明細票に印字し出力する。この場合、例えば、登録しているレジを使用しない時、売上金管理者は投入操作を実施していないのか、レジを使用しないのかを判別することができない。また、レジの追加が発生した場合やレジを削減する場合、その都度登録する必要があり、現金管理業務の作業負担となる。
【０００８】
＜２＞投入者情報を事前に登録しない場合：
売上金投入者の情報を画面に表示、または明細票に印字し出力する。この場合、投入操作を行った情報を表示または印字するため、投入者の情報がたくさんある場合、どのレジが投入操作を行っていないかを判別することが困難である。
【０００９】
そこで、本発明は、上記課題を解決するためになされたものであり、現金処理装置において、売上金管理者の現金管理業務の負担を低減する技術を提供することを目的とする。
【課題を解決するための手段】
【００１０】
上述した課題を解決し、目的を達成するために、複数のレジスタのそれぞれに投入された貨幣を管理する現金処理装置であって、前記レジスタにおける売上金の前記現金処理装置への投入状況に関する情報を表示するための表示部と、前記レジスタのそれぞれから出力され、前記貨幣の投入を開始する旨の開始情報を含み、その時点での前記貨幣の投入状況を示すレジ情報を受信する通信部と、前記通信部が受信したそれぞれの前記レジ情報に含まれる開始情報に基づいて、今後各レジスタにおいて前記売上金が投入されるレジスタを集計し、その結果を前記表示部に表示させる制御部と、を備えることを特徴とする。
【発明の効果】
【００１１】
本発明によれば、売上金管理者による登録作業なしで、まだ投入されていない投入者を判別することができ、現金管理者の売上金管理業務の作業負担低減をすることができる現金処理装置を提供することができる。
【図面の簡単な説明】
【００１２】
【図１】現金処理装置としての売上金入金機の構成について示す概略斜視図。
【図２】売上金入金機の機能ブロック図。
【図３】レジスタと売上金入金機を接続したオンラインシステム例を示す説明図。
【図４】レジスタから売上金入金機に送信するレジ情報の例を示す説明図。
【図５】各種操作カードに応じた処理の開始について示すフローチャート。
【図６】売上金の集計処理について示すフローチャート。
【図７】集計処理で画面に表示された確認画面の例を示す説明図。
【図８】集計処理で画面に表示された投入者を確認する画面の例を示す説明図。
【図９】集計処理で画面に表示された未投入者を確認する画面の例を示す説明図。
【図１０】集計情報が印字された集計明細票の例を示す説明図。
【図１１】レジスタと売上金入金機を、サーバーを介して接続したオンラインシステム例を示す説明図（変形例）。
【発明を実施するための形態】
【００１３】
以下に添付図面を参照して、本発明にかかる現金処理装置の実施の形態を詳細に説明する。
【００１４】
Ａ１．現金処理装置およびシステムの構成：
本実施例の現金処理装置としての売上金入金機について説明する前に、一般的な売上金入金機について簡単に説明する。スーパーやコンビニエンスストア等の小売店舗において、店舗のレジスタから回収した売上金である貨幣（紙幣、硬貨）は、投入担当者により売上金入金機に投入される。投入された貨幣は計数され、投入担当者により投入確定操作が行われた後に、現金処理装置の内部に装填された貨幣収納庫（紙幣収納庫および硬貨収納庫）に収納される。収納庫としては、例えば、収納カセットや収納袋等が利用されている。そして、貨幣収納庫内の貨幣は、現金管理者や警備会社の担当者など限定された担当者のみ触れることができるため、それ以外の者は貨幣収納庫にアクセスすることは不可能である。以下、上記一般的な現金処理装置としての売上金入金機について、図面を参照して説明する。
【００１５】
図１は、現金処理装置としての売上金入金機の構成について示す概略斜視図である。この売上金入金機１０の上面には、紙幣を投入する紙幣投入部１０１と、硬貨を投入する硬貨投入部１１１と、が設けられている。また、操作部および表示部を備える操作表示部１４１と、投入情報や回収情報、集計情報、装置情報等を各種明細票として出力する明細票印字部１４２と、操作時に使用する操作カードに対して情報の読み取りおよび書き込みを行うカードＲ／Ｗ部１４３と、が設けられている。売上金入金機１０の正面には、投入処理時において金種不明な紙幣および硬貨の返却口である紙幣リジェクト部１０６および硬貨リジェクト部１１６と、投入処理のキャンセル時における紙幣および硬貨の返却口ともなる紙幣一時保留部１０７および硬貨一時保留部１１７が設けられている。また、貨幣収納庫である紙幣収納庫１０９および硬貨収納庫１１９とを装填する紙幣収納庫空間１３１および硬貨収納庫空間１３２とを備える貨幣収納庫装填部１３０が設けられている。
【００１６】
図２は、売上金入金機の機能ブロック図である。この売上金入金機１０は、上記した貨幣収納庫装填部１３０、操作表示部１４１、明細票印字部１４２、および、カードＲ／Ｗ部１４３と、紙幣について投入処理を行う紙幣処理部１００と、硬貨について投入処理を行う硬貨処理部１１０と、手入力貨幣について手入力貨幣処理部１２０と、通信装置および通信網を介してレジスタや管理サーバー等の外部装置と情報の授受を行う通信処理部１４４と、各種の処理に必要な情報を記憶するメモリ等の記憶部１４５と、を備えている。
【００１７】
紙幣処理部１００は、上記紙幣投入部１０１と、投入された紙幣を一枚ずつ分離して繰り出す紙幣繰出部１０２と、紙幣繰出部１０２で繰り出された紙幣を搬送する紙幣搬送部１０３と、紙幣の真偽等を識別する紙幣識別部１０４と、紙幣識別部１０４の識別結果に基づいて紙幣を振分ける紙幣振分部１０５と、紙幣識別部１０４の識別結果から異常な紙幣と判定された紙幣を排出させる上記紙幣リジェクト部１０６と、紙幣識別部１０４の識別結果から正常な紙幣と判定された紙幣を一時保留させる上記紙幣一時保留部１０７と、紙幣一時保留部１０７の開閉を制限する紙幣一時保留部ロック機構１０８と、紙幣一時保留部１０７に集積された紙幣が所定の枚数に達した場合、または操作表示部１４１において投入確定操作をした場合に紙幣を収納する紙幣収納庫１０９と、を備えている。紙幣一時保留部１０７は、上述の一時保留機能の他、操作表示部１４１において投入キャンセル操作をした場合に紙幣を返却する紙幣返却部としての機能も有している。紙幣収納庫１０９としては、収納カセットや収納袋等の種々の収納庫を用いることができる。ここでは、収納カセットを用いることとする。
【００１８】
硬貨処理部１１０は、上記硬貨投入部１１１と、投入された硬貨を一枚ずつ分離して繰り出す硬貨繰出部１１２と、硬貨繰出部１１２で繰り出された硬貨を搬送する硬貨搬送部１１３と、硬貨の真偽等を識別する硬貨識別部１１４と、硬貨識別部１１４の識別結果に基づいて硬貨を振分ける紙幣振分部１１５と、硬貨識別部１１４の識別結果から異常な紙幣と判定された硬貨を排出させる上記硬貨リジェクト部１１６と、硬貨識別部１１４の識別結果から正常な紙幣と判定された紙幣を一時保留させる硬貨一時保留部１１７と、硬貨一時保留部１１７の開閉を制限する硬貨一時保留部ロック機構１１８と、硬貨一時保留部１１７に集積された硬貨が所定の枚数に達した場合、または操作表示部１４１において投入確定操作をした場合に硬貨を収納する硬貨収納庫１１９とを備えている。硬貨一時保留部１１７は、上述の一時保留機能の他、操作表示部１４１において投入キャンセル操作をした場合に硬貨を返却する硬貨返却部としての機能も有している。硬貨収納庫１１９としては、収納カセットや収納袋等の種々の収納庫を用いることができる。ここでは、収納カセットを用いることとする。
【００１９】
紙幣リジェクト部１０６および硬貨リジェクト部１１６を、それぞれ売上金入金機１０の前面側（図１の正面側）に引き出すことにより、これらに集積された紙幣および硬貨を取り出すことができる。同様に、紙幣返却部としての紙幣一時保留部１０７および硬貨返却部としての硬貨一時保留部１１を、それぞれ売上金入金機１０の前面側（図１の正面側）に引き出すことにより、これらに集積された紙幣および硬貨を取り出すことができる。ただし、紙幣一時保留部１０７および硬貨一時保留部１１７の開閉、すなわち、装置前面側への紙幣一時保留部１０７および硬貨一時保留部１１７の引き出しは、紙幣一時保留部ロック機構１０８および硬貨一時保留部ロック機構１１８によって制限される。なお、操作表示部１４１において投入キャンセル操作をした場合、紙幣一時保留部ロック機構１０８および硬貨一時保留部ロック機構１１８のロックを解除することで、紙幣一時保留部１０７および硬貨一時保留部１１７から、紙幣および硬貨を取り出すことが可能となる。
【００２０】
貨幣収納庫装填部１３０は、図１に示すように、紙幣収納庫１０９を装填する紙幣収納庫空間１３１と、硬貨収納庫１１９を装填する硬貨収納庫空間１３２と、を備えている。そして、この貨幣収納庫装填部１３０を、売上金入金機１０の前面側に引き出すことにより、装填された紙幣収納庫１０９と硬貨収納庫１１９とを回収および装填することができる。ただし、貨幣収納庫装填部１３０の開閉、すなわち、装置前面側への貨幣収納庫装填部１３０の引き出しは、貨幣収納庫装填部ロック機構１３８によって制限される。
【００２１】
操作表示部１４１としては、例えば、表示部として一般的に用いられるＬＣＤ（Ｌｉｑｕｉｄ  Ｃｒｙｓｔａｌ  Ｄｉｓｐｌａｙ）の画面上に操作部としてのタッチセンサーが一体化して設けられたタッチパネルを用いることができる。ただし、表示部としてのＬＣＤの横側に操作部としての入力キーを別途設ける構成としてもよい。また、表示部としては、ＬＣＤではなくＣＲＴ等の他のディスプレイを用いることも可能である。
【００２２】
また、カードＲ／Ｗ部１４３としては、例えば、操作カードとしてＲＦＩＤ（Ｒａｄｉｏ  Ｆｒｅｑｕｅｎｃｙ  ＩＤｅｎｔｉｆｉｃａｔｉｏｎ）カードを用いることとし、ＲＦＩＤカード用のリーダー／ライターを用いることができる。また、操作カードとしてＩＣカードや磁気カード等を用いることとし、採用した操作カード用のリーダー／ライターを用いる構成としてもよい。
【００２３】
操作カードとしては、図１に示すように、売上金である貨幣を投入するときに店舗の投入担当者が使用する投入用カード６０１tと、紙幣収納庫１０９、硬貨収納庫１１９の回収と装填を行うときに、現金管理者の回収担当者が使用する回収用カード６０１kと、売上金である貨幣の投入金額を集計するときに店舗の現金管理者の集計担当者が使用する集計用カード６０１s等があり、これらの各カードには利用者を識別するための利用者識別情報（利用者ナンバー）があらかじめ記憶されている。このように、処理内容に対応するカードを別けることにより、利用者の使用可能な機能を制限することができる。ただし、操作カードは単に利用者の識別カードとし、ＩＤおよびパスワードの入力等の他の方法または操作カードとＩＤおよびパスワード入力を組み合わせた方法等を用いて、使用可能な機能を利用者に応じて制限するようにしても良い。
【００２４】
制御部１４０は、各ブロックの動作を制御して各種処理を実行するコンピュータ装置である。
【００２５】
図３は、現金処理装置を利用したオンラインシステムの例を示す説明図である。店舗Ａ３００は、レジスタ３０１が設置されており、通信装置３０２によって通信網５００に接続されている。通信網５００には、出納室Ｂ４００が、通信装置４１２を介して接続されている。レジスタ３０１は、各担当者からの操作を受け付けると、出納室Ｂ４００に設けられた売上金入金機１０にレジ情報を送信する。なお、図３に示す例では、１台のレジスタ３０１に対して１台の売上金入金機１０が接続されているが、実際には、複数のレジスタ３０１に対して、１台の売上金入金機１０が接続されている。
【００２６】
図３に示すように、レジスタ３０１は、機能的には、貨幣の投入を開始する旨の開始情報、レジ情報（後述）に必要な各種の情報の入力や読み取りを受け付ける入力受付部３０１１と、レジ情報を出力し、レジスタ３０１の動作を制御するレジ制御部３０１２と、レジ情報を、通信装置３０２を介して売上金入金機１０に送信するレジ通信部３０１３と、を有している。
【００２７】
図４は、レジスタ３０１から売上金入金機１０に送信するレジ情報の例を示す説明図である。レジ情報は、その時点での貨幣の投入状況を示すであり、後述する項目の情報を有している。レジスタ３０１にて業務開始処理や売上処理、終了処理が実行されると、レジスタ３００は、通信装置３０２から通信網５００を経由し、通信装置４１２を介して売上金入金機１０の各処理に応じたレジ情報３０５を通知する。売上金入金機１０はレジスタ３００から通知されたレジ情報を基に、売上金の管理を行うことができる。図４では、レジ情報３０５の例として、レジスタ３０１を識別するためのレジナンバーと、そのレジスタを操作した利用者を識別するための利用者ナンバーと、レジスタ３０１での処理が開始されたことを示す開始情報と、レジスタ３０１を操作する利用者が交代したことを示す利用者交代情報と、レジスタ３０１での処理（例えば、レジ打ち業務や売上金の集計業務等の日常業務）が終了したことを示す業務終了情報と、レジスタ３０１内の現金の入出金によって新たな貨幣の投入や貨幣の回収が必要となったか否かを示す現金変動情報と、そのレジスタ３０１で入金された貨幣の売上金入金機１０への投入金額と、その内訳（１０，０００円、５，０００円等）を有して構成されている。
【００２８】
図４に示す例では、利用者ナンバー「９８７６」の操作者が、レジスタナンバー「０１２」のレジスタ３０１を操作して処理を開始（開始情報「１」）し、未だその処理を継続中（業務終了「０」）であることを示している。また、その処理において現金の入出金により新たな貨幣の投入の必要があり、処理の途中で利用者が交代したことを示している（現金変動情報「１」、利用者交代情報「１」）。開始情報、利用者交代情報、業務終了情報、現金変動情報は、レジスタ３０１が利用者によって金額の入力操作を開始する場合、その入力担当者を変更する場合、その入力操作を終了する場合、入出金によって貨幣の投入が必要と判断された場合、それぞれの操作を行う利用者によって入力受付部３０１１を介してレジスタ３０１に入力され、レジ制御部３０１２がその都度レジ情報３０５に出力する。
【００２９】
また、これら以外のレジ情報３０５に含まれる情報のうちレジナンバーは、レジ制御部３０１２がレジ情報３０５を売上金入金機１０に送信する際にあらかじめその情報が記憶されたメモリ（不図示）から読み取られ、レジ情報３０５に出力される。また、利用者ナンバーは、入力受付部２０１１がレジスタ３０１操作開始時に利用者のＩＤカード等の媒体を読み取り（または入力を受けつけ）、レジ制御部３０１２が読み取られた（または入力された）その情報をレジ情報３０５に出力する。また、投入金額および内訳は、レジ制御部３０１２がその時点でレジスタ３０１に収納された貨幣を金種毎に集計してその枚数をカウントし、レジ情報３０５に出力する。その後、レジスタ３０１のレジ通信部３０１３を介してレジ情報３０５が任意のタイミングで通信装置３０２に出力され、売上金入金機１０に送信される。
【００３０】
Ａ２．現金処理装置の処理：
以下では、現金処理装置としての売上金入金機１０において実行される各種処理について順に説明する。
【００３１】
図５は、各種操作カードに応じた処理の開始処理について示すフローチャートである。この処理は、売上金入金機１０を管理する現金管理者からの操作を受け付けて、現金処理装置の起動処理に応じて制御部１４０によって開始される。制御部１４０は、この処理を開始すると、まず、操作表示部１４１に待機画面（不図示）を表示させ、操作カードのセットを受け付ける（ステップＳ１００）。操作カードがセットされた場合（ステップＳ１００：ＹＥＳ）、制御部１４０は、カードＲ／Ｗ部１４３にてカードの種類やその担当者を識別するためのカードナンバーを読み取らせ（ステップＳ２００）、カードの種類を判別し（ステップＳ３００）、セットされたカードの種類に応じて、入金処理（ステップＳ４００）と、回収処理（ステップＳ５００）と、集計処理（ステップＳ６００）のいずれかの処理を開始する。いずれかの処理が終了した場合には、先頭の処理に戻って、操作カードのセットを受け付ける。なお、この処理は、現金処理装置の起動停止処理が開始されるまで、常時実行されている。以下では、集計用カード６０１sがセットされたときに行われる集計処理について詳細に説明するが、入金処理や回収処理の場合も同様に考えることができる。
【００３２】
図６は、売上金の集計処理について示すフローチャートである。集計処理を開始すると、まず、制御部１４０は、集計処理で操作表示部１４１にて投入者情報（図４に示した利用者ナンバーによって識別される利用者）やレジスタ情報（図４に示したレジナンバーによって識別されるレジスタ）の確認を行う設定となっているかという機能の有効性（有効または無効）の確認を行う（ステップＳ６０１）。この機能を有効にするか無効にするかについては、あらかじめ現金管理者によって設定されている。制御部１４０は、確認機能が無効と判断した場合（ステップＳ６０１：ＮＯ）、前回の集計処理の実施時から今回の集計処理までの間に行われた、投入処理による投入金額の集計処理を実施し（ステップＳ６０７）、集計結果を明細票に印字し（ステップＳ６０８）、集計処理を終了する。一方、制御部１４０は、確認機能が有効の判断した場合（ステップＳ６０１：ＹＥＳ）、操作表示部１４１に投入状況を確認するための投入状況確認画面の表示を行う（ステップＳ６０２）。このように、利用者ナンバーやレジナンバーの確認を行うための確認画面を操作表示部１４１に表示させるか否かについて、必要に応じて現金管理者が選択して設定できるようになっているので、現金管理者は所望のタイミングでレジスタ３０１に対する貨幣の投入状況を確認することができる。
【００３３】
図７は、集計処理で画面に表示された確認画面の例を示す説明図である。この確認画面は、制御部１４０が、レジスタ３０１から受信したレジ情報３０５を参照して、売上金が入金処理され、貨幣が投入されたレジスタ３０１（図４に示したレジ情報３０５の開始情報が「１」の台数）およびその投入金額、未だ売上金が投入されていないレジスタ３０１（図４に示したレジ情報３０５の開始情報が「０」の台数）を集計し、その集計結果に基づいて、操作表示部１４１に表示されているものである。図７に示すように、確認画面では、前回の集計操作以降にレジスタの売上金を投入したレジスタ３０１の数、および投入した合計金額、未投入のレジスタ３０１の数を表示が表示されている。図７に示す例では、売上金を投入したレジスタ３０１の数が１０台、売上金を投入していないレジスタ３０１の数が５台、投入された売上金の合計が１２３万４５６７円であることを示している。売上金管理者は画面の内容を確認し、集計処理を終了する場合は、キャンセルボタンを押下し、操作表示部１４１がその操作を受け付ける（ステップＳ６０３）。そして、操作表示部１４１がキャンセルボタンの押下を受け付けると、売上金を集計するステップＳ６０７の処理を行わずにそのまま集計処理が終了する。このとき、現金管理者は、その時点におけるレジスタ３０１への売上金の投入状況を確認することができる。
【００３４】
制御部１４０は、操作表示部１４１がキャンセルボタンの押下を受け付けず（ステップＳ６０３；Ｎｏ）、明細票印字部１４２にて印字させる場合、操作表示部１４１が印字ボタンの押下を受け付けると（ステップＳ６０４；Ｙｅｓ）、操作表示部１４１に表示されている確認情報を印字する（ステップＳ６０５）。そして、制御部１４０は、Ｓ６０２にて表示した画面（図７）にて投入確認ボタンが押下された場合（ステップＳ６１０；Ｙｅｓ）、操作表示部１４１は売上金の投入者やレジスタを確認するための投入確認画面を表示する（ステップＳ６１１）。
【００３５】
図８は、集計処理で画面に表示された投入者やレジスタを確認する画面（投入確認画面）の例を示す説明図である。図８に示すように、投入者確認画面には、売上金が投入されたレジスタ３０１の数（図７に示した投入数）、および投入した売上金の合計金額（図４に示したレジ情報３０５の投入金額の合計）、売上金が投入されて業務が終了したレジスタ３０１（図４に示したレジ情報３０５の業務終了情報が「１」）のレジスタナンバー（図４に示したレジ情報３０５のレジスタナンバー）、売上金を投入した利用者の利用者ナンバー（図４に示したレジ情報３０５の利用者ナンバー）が表示されている。図８では、利用者ナンバー（社員Ｎｏ）１２３４の利用者が、１４万６６００円の売上金を、レジスタナンバー１０１のレジスタ３０１に投入し、利用者ナンバー（社員Ｎｏ）５６７８の利用者が、３８万１４４４円の売上金を、レジスタナンバー０２９のレジスタ３０１に投入し、利用者ナンバー（社員Ｎｏ）６５４３の利用者が、９万７０００円の売上金を、レジスタナンバー１１１のレジスタ３０１に投入し、以降、同様に、売上金を投入した利用者やレジスタ、その投入金額が表示され、これらの合計が１２３万４５６７円であることがわかる。
【００３６】
そして、現金管理者は画面に表示された投入者情報やレジスタ情報の内容を確認し、集計処理を終了する場合はキャンセルボタンを押下し、操作表示部１４１はその操作を受け付ける（ステップＳ６１２）。ステップＳ６０２の確認画面に戻る場合は戻るボタンを押下し、操作表示部１４１は、その押下を受け付けて、投入状況確認画面に遷移させる（ステップＳ６１３）。明細票印字部１４２にて印字する場合、操作表示部１４１が印字ボタンの押下を受け付けると（ステップＳ６１４）、操作表示部１４１に表示されている情報（投入確認情報）を印字する（ステップＳ６１５）。Ｓ６０２にて表示した画面（図７）にて未投入確認ボタンが押下された場合（ステップＳ６１０）、操作表示部１４１は投入確認画面を表示する（ステップＳ６１１）。
【００３７】
図９は、集計処理で画面に表示された未投入者やレジスタを確認する画面（未投入確認画面）の例を示す説明図である。図９に示すように、未投入者確認画面には、売上金が投入されていないレジスタ３０１の数（図４に示したレジ情報３０５の開始情報が「１」であって、業務終了情報が「０」の台数）、売上金が投入されていないレジスタ３０１のレジスタナンバー（図４に示したレジ情報３０５のレジスタナンバー）、売上金を投入していない利用者の利用者ナンバー（図４に示したレジ情報３０５の利用者ナンバー）が表示されている。図９では、利用者ナンバー（社員Ｎｏ）２３４５の利用者がレジスタナンバー００２のレジスタ３０１で業務中（図４に示したレジ情報３０５の開始情報が「１」であって、業務終了情報が「０」）であり、利用者ナンバー（社員Ｎｏ）１１１１の利用者がレジスタナンバー０２９のレジスタ３０１で業務を終了し（図４に示したレジ情報３０５の業務終了情報が「１」）、利用者ナンバー（社員Ｎｏ）０７８９の利用者がレジスタナンバー１１１のレジスタ３０１で業務中であり、入出金によって貨幣の投入が不要であることを示している。以降、同様に、売上金を投入していない利用者やレジスタ、貨幣の投入の要否が表示されていることがわかる。このように、業務中であって、売上金が未投入である利用者を未投入者確認画面に表示させるので、売上金入金機１０の現金管理者は、今後売上金が投入されるであろうレジスタや利用者およびそれらの数を、容易に把握することができる。
【００３８】
また、レジスタナンバー０２９のレジスタ３０１は、図８に示したように、利用者ナンバー（社員Ｎｏ）５６７８の利用者によって売上金が投入されて業務が終了したものの、その後、別の利用者である利用者ナンバー（社員Ｎｏ）７７７７の利用者によって業務が開始され（図４に示したレジ情報３０５の開始情報が「１」）、利用者が交代（図４に示したレジ情報３０５の利用者交代情報が「１」）したことを示している。このように、利用者が交代した場合であっても、未投入者確認画面に表示させるので、売上金入金機１０の現金管理者は、利用者の交代状況や、交代後の利用者の売上金の投入状況を容易に把握することができる。
【００３９】
また、利用者ナンバー（社員Ｎｏ）７７７７の利用者によって業務が開始された後、そのレジスタ３０１での業務における現金の入出金によって、例えば、貨幣の不足が生じたことによる新たな貨幣の投入や貨幣の回収の必要はなく（図４に示したレジ情報３０５の現金変動情報が「１」）、その状況が「貨幣投入不要」として表示されている。このように、レジスタ３０１において貨幣の不足が生じ、補充の必要があるか否かを未投入者確認画面に表示させるので、売上金入金機１０の現金管理者は、レジスタ３０１における貨幣の使用状況や、貨幣の補充要否について容易に把握することができる。
【００４０】
そして、現金管理者は画面に表示された投入者情報の内容を確認し、集計処理を終了する場合はキャンセルを押下し、操作表示部１４１がその押下を受け付ける（ステップＳ６３２）。ステップＳ６０２の確認画面に戻る場合は、戻るボタンを押下し、操作表示部１４１は、その押下を受け付けて、投入状況確認画面に遷移させる（ステップＳ６３３）。明細票印字部１４２にて印字する場合、印字を押下すると（ステップＳ６３４）表示されている情報（未投入確認情報）を印字する（ステップＳ６３５）。Ｓ６０２にて表示した画面（図７）にて確定ボタンが押下された場合（ステップＳ６０６）、制御部１４０は、前回の集計処理の実施時から今回の集計処理までの間に行われた、投入処理による投入金額（入金金額）の集計処理（それぞれのレジスタ３０１において投入されたすべての売上金の集計処理）を実施する（ステップＳ６０７）。その後、制御部１４０は、明細票印字部１４２を制御して、集計情報を明細票に印字させる（ステップＳ６０８）。
【００４１】
図１０は、集計情報が印字された集計明細票の例を示す説明図である。この集計明細票６０４ｐには、集計処理を行った時刻を示す「集計日時」、集計担当者に関する情報として、集計担当者の識別情報である「カードナンバー（カードＮｏ．）」、売上入金機の識別情報である「装置番号（装置Ｎｏ．）」、店補の識別情報である「店舗番号（店舗Ｎｏ．）」および「店舗名称」が印字されている。カードナンバーは図５の示した処理のステップＳ２００で読み取られた情報であり、装置番号、店舗番号および店舗名称は、あらかじめ売上金入金機１０の記憶部１４５等に記憶されている。また、集計明細票には、集計した貨幣の情報として、集計した貨幣の「金種」、その金種ごとの「枚数」および「金額」と「合計金額」が印字されている。ただし、枚数には、前回の集計処理の実施時から今回の集計処理までの間に投入および回収された貨幣の枚数が記載されている。さらにまた、合計金額の内訳として計数処理された貨幣の合計金額である「計数計」が記載されている。このうに、その時点で各レジスタ３０１に投入された売上金を集計し、明細票として出力するので、売上金入金機１０の現金管理者は、管理対象となっているレジスタ３０１が全体としてどの程度（割合）の売上金が投入されているのか、その進捗を具体的な数値として確認することができる。
【００４２】
Ａ３．効果：
以上のように、本実施例における現金処理装置としての売上金入金機では、レジスタの情報を用いて売上金管理者は集計処理を行う前に投入情報を確認することができる（図７、図８、図９）。これにより、売上金投入者情報の事前登録を行わず、売上金の未投入レジスタや売上金の未投入者の確認を行うことが可能となり、売上金管理業務の負担低減が期待できる。
【００４３】
Ｂ．変形例：
図１１は、変形例として、レジスタと売上金入金機の間にセンターサーバーを介した処理を示すシステム構成図である。図３に示した例では、レジスタ３０１の情報（図４に示したレジ情報）を通信装置３０２、通信網５００、通信装置４１２を介し、売上金入金機１０へ送信しているが、図１１では、そのようなレジ情報を通信装置３０２、通信網５００を介し、管理センター７００にある通信装置７０２を介してレジ情報を管理する管理サーバー７０１へ送信する。これと同様に、レジスタ３０３のレジ情報を通信装置３０４、通信網５００を介し、管理センター７００にある通信装置７０２を介して管理サーバー７０１へ送信し、レジスタ３０５のレジ情報を通信装置３０６、通信網５００を介し、管理センター７００にある通信装置７０２を介して管理サーバー７０１へ送信する。
【００４４】
そして、管理サーバー７０１に送信されたこれらのレジ情報は、通信装置７０２によって通信網５００に接続され、出納室４００にある通信装置４１２を介し、売上金入金機１０へ送信する。同様に通信装置４１３を介し、売上金入金機１１へ送信し、通信装置４１４を介し、売上金入金機１２へ送信する。このとき、それぞれのレジスタから送信されたレジ情報を、例えば、レジナンバーや利用者ナンバーをキーとしてマージしたレジ情報（全レジスタのレジ情報）を生成し、そのマージ後のレジ情報をそれぞれの売上金入金機へ送信する。
【００４５】
以上のように、変形例における現金処理装置としての売上金入金機では、店舗３００のレジスタ３０１、３０３、３０５の情報を、管理センター７００の管理サーバー７０１で情報を集約して出納室４００の入金機１０、１１、１２に送ることにより、入金機が複数設置されている場合であっても、同じレイアウトのレジ情報を取得することが可能となる。また、売上金入金機１０、１１、１２の投入情報を、管理センター７００の管理サーバー７０１で情報を集約してマージした１つのレジ情報を出力し、そのマージした後のレジ情報を、出納室４００の入金機１０、１１、１２のそれぞれに送ることにより、それぞれの売上金入金機で同じ投入情報を持つことが可能となり、どの入金機でも同じ内容で操作表示部１４１にて投入者情報の確認を行うことができ、売上金管理業務の低減を可能とする。
【符号の説明】
【００４６】
１０…売上金入金機
１００…紙幣処理部
１０１…紙幣投入部
１０２…紙幣繰出部
１０３…紙幣搬送部
１０４…紙幣識別部
１０５…紙幣振分部
１０６…紙幣リジェクト部
１０７…紙幣一時保留部
１０８…紙幣一時保留部ロック機構
１０９…紙幣収納庫
１１０…硬貨処理部
１１１…硬貨投入部
１１２…硬貨繰出部
１１３…硬貨搬送部
１１４…硬貨識別部
１１５…硬貨振分部
１１６…硬貨リジェクト部
１１７…硬貨一時保留部
１１８…硬貨一時保留部ロック機構
１１９…硬貨収納庫
１３０…貨幣収納庫装填部
１３１…紙幣収納庫装填空間
１３２…硬貨収納庫装填空間
１３８…貨幣収納庫装填部ロック機構
１４０…制御部
１４１…操作表示部
１４２…明細票印字部
１４３…カードＲ／Ｗ部
１４４…通信処理部
１４５…記憶部
３００…店舗Ａ
３０１…レジ
３０２…通信装置
３０３…レジ
３０４…通信装置
３０５…レジ
３０６…通信装置
３０９…レジ情報
４００…出納室Ｂ
４１２…通信装置
５００…通信網
６０１k…回収用カード
６０１t…投入用カード
６０１s…集計用カード
６０４…集計明細票
７００…管理センター
７０１…サーバー
７０２…通信装置。
【図１】
2014174908.tif 000003
【図２】
2014174908.tif 000004
【図３】
2014174908.tif 000005
【図４】
2014174908.tif 000006
【図５】
2014174908.tif 000007
【図６】
2014174908.tif 000008
【図７】
2014174908.tif 000009
【図８】
2014174908.tif 000010
【図９】
2014174908.tif 000011
【図１０】
2014174908.tif 000012
【図１１】
2014174908.tif 000013